(57)【要約】      （修正有）【課題】時計、宝飾品、ＬＥＤ照明灯、情報端末器又はセンサーをハンドバッグ、ポーチ、ポセット、リュックサック、ランドセル、鞄、帽子、ぬいぐるみ、マスコット、キーホルダー、ベルト、ストラップ、リストバンド、ヘアーバンドの基体表面又は裏面に装着するための方法として、時計、宝飾品、ＬＥＤ照明灯、情報機器又はセンサーを収納する収納容器の小型化と薄型化を実現し、組み立て構造を簡潔にした固定装置を提供する。【解決手段】時計、宝飾品、ＬＥＤ照明灯、情報機器又はセンサーを収納する円柱管、楕円形、又は角型箱の小型収納容器３を基体に固着させ、小型収納容器の内側壁面に凹型形状の帯状の空間３ｂを施設し、時計、宝飾品、ＬＥＤ照明灯、情報端末器又はセンサーの側面に帯状のラバーベルトを巻き付け、小型収納容器に圧入し又は引っ張り出しを可能とし、基体にも自在に着脱でき、電池交換も容易にできることを特徴とする。【選択図】図２
0003193641.tif 000002
【実用新案登録請求の範囲】
【請求項１】
時計、宝飾品、ＬＥＤ照明灯又は情報端末器等をハンドバッグ、ポーチ、ポセット、リュックサック、ランドセル、鞄、帽子、ぬいぐるみ、マスコット、キーホルダー、ベルト、ストラップ、リストバンド、ヘアーバンド等の薄く小さい基体表面又は裏面に装着するための方法として、時計、宝飾品、ＬＥＤ照明灯又は情報機器等を収納する円柱管又は異型箱等の小型収納容器を基体に固着させ、小型収納容器の内側壁面に凹型形状の帯状の空間を施設し、時計、宝飾品、ＬＥＤ照明灯又は情報端末器等の側面に帯状のラバーベルトを巻き付け、小型収納容器に圧入し又は引っ張り出しを可能とし、薄く小さな基体にも自在に着脱でき、電池交換も容易にできる固定装置。
【請求項２】
時計、宝飾品、ＬＥＤ照明灯又は情報端末器等を収納容器に収納する際に、収納容器の側面開放部に複数の切り裂きを施し、時計、宝飾品、ＬＥＤ照明灯又は情報端末器等の突起物を嵌合し、正確な位置決めと、任意の方向転換を行える請求項１に記載する固定装置
【請求項３】
プラスチック、ポリエステル、繊維、皮革、金属等の素材で構築されたバッグ類、被服類、身飾品類、ベルト類、人形類等の基体表面又は裏面に、コンタクト・レンズ収納ケース、薬品収納ケース、ＧＰＳ端末器、防犯ブザー、ラジオ、ＴＶ端末、携帯電話器、ゲーム機、携帯パソコン、その他情報端末器等を装着する際に適用される請求項１記載の固定装置。
【考案の詳細な説明】
【技術分野】
【０００１】  この考案は、ハンドバッグ、鞄、袋物、帽子、ぬいぐるみ、マスコット、キーホルダー、ベルト、ストラップ、リストバンド、ヘアーバンド等の基体の表面又は裏面に時計、宝飾品，ＬＥＤ照明灯又は情報端末器等を装着させる際に、時計、宝飾品、ＬＥＤ照明灯又は情報端末器等の裏面とその収納容器の内側底面にそれぞれ１枚ずつ固定されたファスナーで接着できる大きな収納容器と収納できる基体の大きな容積が必要とされる問題と複雑な製造工程（特許文献１，及び２）を必要とする問題を解消し、収納容器の小型化と薄型化を実現し、小さく、薄い基体にも適用の拡張をし、組み立て構造を簡潔にした固定装置に関する。【０００２】又ぬいぐるみの胴体に表面から孔を空け、直接時計の胴体を挿入する考案は存在するが（特許文献３）、時計、宝飾品、ＬＥＤ照明灯又は情報端末器等の固定化に関する技術は存在しない。【０００３】この考案は、時計、宝飾品、ＬＥＤ照明灯又は情報端末器等の収納容器の側面開放部の上部に施された複数の切り裂きに、時計、宝飾品、ＬＥＤ照明灯又は情報端末器等の側面に配置されたリューズとうの突起物を嵌合させ、正確な位置決め、又は任意の方向転換を安易にできる固定装置に関する。
【先行技術文献】
【特許文献】
【０００４】
【特許文献１】実用新案登録第３１７２８００号
【特許文献２】実用新案登録第３１７６２６９号
【特許文献３】実用新案  昭６３−１８３８１７
【考案の概要】
【考案が解決しようとする課題】
【０００５】従来技術（特許文献１、及び２）は、基体に設置された収納容器の底面部と時計又は宝飾品等の背面部にそれぞれファスナー１枚ずつ固着させ、時計、又は宝飾品等を基体に固定する装置であるが、２枚のファスナーの収納容積は大きくなり、対応する収納容器の容積も大きくなり、適応できる基体容積の許容範囲に制約があり、より薄く小さい容積の基体に適応できない課題。【０００６】又従来技術（特許文献１、及び２）で必要とされる１枚ずつのファスナーをそれぞれ精密に裁断し、それぞれ精密に固着させる複雑な製造工程が必要とされる課題。【０００７】基体に接着させる時計、宝飾、ＬＥＤ照明灯又は情報端末器等の位置決めを正確に実施し、又方向転換を任意にするために、収納容器の側面開放部に複数の切り裂きを設定し、時計、宝飾品、ＬＥＤ照明灯又は情報端末器等の側面の突起部分を切り裂き部分に嵌合する課題。【０００８】ぬいぐるみ等を構成する基体の表面に時計の胴体を嵌め込む従来技術（特許文献３）においては、ぬいぐるみ本体に直接的に孔を開け、その孔に時計の胴体を挿入する方式であるが固定化の技術がないため、基体に時計を挿入してもしっかり固定することは不可能であり、甚だしくは、基体の持ち歩き等により時計が脱落し破損するような事態を招くこととなり、携帯又は着用するハンドバッグ、鞄、袋物、帽子、ぬいぐるみ、マスコット、キーホルダー、ベルト、ストラップ、リストバンド等の基体に装着された時計、宝飾品、ＬＥＤ照明灯、ＧＰＳ端末又はその他の情報端末器が基体から簡単に離脱しないための対策が課題。
【課題を解決するための手段】
【０００９】本考案は時計、宝飾品、ＬＥＤ照明灯又は情報端末器等をハンドバッグ、鞄、袋物、帽子、ぬいぐみ、マスコット、キーホルダー、ストラップ、ベルト、リストバンド、ヘアーバンド等の小さく薄い基体に装着できるための薄い小型の固定装置であり、円柱管又は異型箱等の収納容器の側壁解放面側に時計のリューズ及び宝飾品、ＬＥＤ照明灯又は情報端末器等の側面の突起物を収容するため複数の切り欠きを設け、位置決めと方向転換を容易にする装置であり、円柱管又は異型箱等の収納容器の内側壁面に帯状の凹型の薄い空間を施設し、その薄い空間に嵌合できる弾力性あるラバー等の帯状ベルトを時計、宝飾品、ＬＥＤ照明灯又は情報端末器等の側面に巻き付け、円柱管又は異形箱等の収納容器に圧入し又は引っ張り出して、安易に着脱できる装置であり、従来技術による２枚のファスナーを固着し収容する大きな容積と厚さが必要な収納容器とその大きさに対応できる基体の容積の大きさの限界を解消する装置である。
【考案の効果】
【００１０】時計、宝飾品、ＬＥＤ照明灯又は情報端末器等が収納されている円柱管又は異形箱等の収納容器をハンドバッグ、鞄、袋物、帽子、ぬいぐるみ、マスコット、キーホルダー、ストラップ、ベルト、リストバンド、ヘアーバンド等の基体に装着する際に従来技術で必要とされていた１枚ずつのファスナーの接着及び内臓が不必要となり、収納容器と基体双方の容積の縮小、小型化が実現し、従来技術では困難であった、薄く小型の基体への装着を可能とし、装着できる対象物の領域を拡大し、消費者が携帯又は着用しやすい対象物の拡大と利便性の向上が実現し、時計、宝飾品、ＬＥＤ照明灯又は情報端末器等を圧入又は引っ張り出しの簡単な操作で、時計、宝飾品、ＬＥＤ照明灯又は情報端末器等は、基体からの脱着は容易であり、仮に電池作動機器を収納していても、電池交換は容易にできる。
その他効果として次の点が挙げられる。
（１）基体に激しい衝撃がかかっても、基体と円柱管又は異形箱等の収納容器はしっかりと固着しており、時計、宝飾品、ＬＥＤ照明灯又は情報端末器等の側面に巻き付けられた弾力性のあるラバーベルト等のベルトにより、衝撃力は吸収され、時計、宝飾品、ＬＥＤ照明灯又は情報端末器等を衝撃から守る効果を有する。
（２）円柱管又は異形箱等の収納容器の側壁解放面側には  時計、宝飾品、ＬＥＤ照明灯又は情報端末器等の胴体部分から水平に突出したリュウズ等の突出物等を収納できる複数の切り欠きを形成したので、基体における時計、宝飾品又は情報端末器等の位置決めを複数のリューズ等の突出物の収納空間に沿って正確に固定でき、又方向転換も容易にできる利便性を提案できる。
（３）この装置は、薄く又は小さい容積の基体の場合でも、時計、宝飾品、ＬＥＤ照明灯又は情報端末器等の収納部分である円柱管又は異形箱等の収納容器が基体を貫通し、基体の裏面に突出した形態にも適用できる。
【産業上の利点】
【００１１】（１）この固定装置は、ラバー、樹脂、木、金属又は貴金属等の多様な素材を活用でき、規格量産が可能なため生産効率が高くなり、廉価に生産できる優位性のある新しい製造方法を提案する装置である。
（２）又、この装置により、ハンドバッグ、ポーチ、ポセット、鞄、袋物、ベルト、ストラップ、リストバンド、キーホルダー、ヘアーバンド等の基体に時計、宝飾品、ＬＥＤ照明灯又は情報端末器等を組み込み完成品にする工程は、数段に単純化され且つ特殊技術又は特殊部品の製造を必要とせず、正確に且つ迅速で経済的に量産できる生産技術を提案できる。
（３）この装置は、時計、宝飾品、ＬＥＤ照明灯又は情報端末器等とその収納部分である円柱管又は異形箱等の収納容器を従来品よりも小型化、薄型化し、より薄く小さい基体にも広範囲に適用でき、購入者である消費者の選択肢の拡大ができ、携帯又は着用できる機会が拡大し、新市場の形成、構築を容易にし、製造・販売の拡大をもたらす産業上の利点がある。
【図面の簡単な説明】
【００１２】
【図１】本考案の時計、宝飾品、ＬＥＤ照明灯又は情報端末器等をハンドバッグ、ポセット、鞄、ポーチ、袋物、ぬいぐるみ、帽子、マスコット、キーホルダー、ストラップ、ベルト、リストバンド、ヘアーバンド等の基体に固定する一例として、マスコットの基体に時計を取り付けた状態を示す立体正面図である。
【図２】本考案の時計、宝飾品、ＬＥＤ照明灯又は情報端末器等を、基体に設置された円柱管又は異形箱等の収納容器に収納した構造の断面形状の正面図である。
【図３】本考案の時計、宝飾品、ＬＥＤ照明灯又は情報端末器等を圧入する円柱管又は異形箱等の収納容器の上部に施した切り裂きと内周壁面に帯状の凹型空間を構築した構造の断面形状の斜視図である。
【図４】本考案の時計、宝飾品、ＬＥＤ照明灯又は情報端末器等の側面に樹脂製又はラバー製の帯状ベルトが巻き付けられた構造の側面形状の構造図である。
【考案を実施するための形態】
【００１３】本考案の実施の形態を図面に基づき説明する。図１乃至図は本考案の実施の形態を示すものである。
【００１４】図１において、一例としてマスコットを基体１として、時計２が圧入、接着された外観全体の立体正面図である。
【００１５】図２における基体１に施設された円柱管又は異形箱等の収納容器３にはめ込まれる時計、宝飾品、ＬＥＤ照明灯又は情報端末器等２が電池動作機器の場合、収納容器３から容易に取り出し、電池交換用の押さえ蓋兼裏蓋を開閉できる。
【００１６】又、図２におけるこの装置は防犯ブザー、又はＧＰＳ端末器等２を円柱管又は異形箱等の収納容器３を介して基体１に収納でき、さらに、円柱管又は異形箱等の収納容器３に上蓋を付けたピルケース、コンタクトレンズケース、香水袋等を収納してもよく、又上蓋は宝飾品等で装飾されてもよい。
図３は、時計、宝飾品、ＬＥＤ照明灯又は情報端末器等２のリューズ等の突起物７を正確に収納するための収納容器側面開放部の上部に切り裂き３ａを設置し、正確な位置決めを可能にする構造であり、切り裂き３を複数施すことにより、時計、宝飾品、ＬＥＤ照明灯又は情報端末器の方向転換も容易にできる。
【００１７】又、図３では、時計、宝飾品、ＬＥＤ照明灯又は情報端末器等２を基体１に装着する際は、円柱管又は異形箱等の収納容器３の内周壁面に施設された凹型の帯状空間３ｂに、時計、宝飾品、ＬＥＤ照明灯又は情報端末器等の側面２ａに巻き付けられた弾力性のあるラバーの薄型ベルト２ｂを嵌合させるための構造図を示している。
【００１８】図４は、時計、宝飾品、ＬＥＤ照明灯又は情報端末器等の側面２ａに樹脂類又はラバー類の帯状ベルト２ｂが巻き付けられた状況を示し、同時にリューズ等７の突起物も内部に包み込んでおり、時計２の場合は、リューズ７を引っ張り出して時刻訂正ができる構造となっている。
【符号の説明】
【００１９】１    基体
２    時計、宝飾品、ＬＥＤ照明灯又は情報端末器等
２ａ  時計、宝飾品、ＬＥＤ照明灯又は情報端末器等の側面
２ｂ  時計、宝飾品、ＬＥＤ照明灯又は情報端末器等の側面に巻き付けられた樹脂製又は      ラバー製の帯状ベルト
２ｃ  時計、ＬＥＤ照明灯又は情報端末器等の電池収納用の裏蓋
３    円柱管又は異形箱等の収納容器
３ａ  円柱管又は異形箱等の収納容器の上部に施された切り欠き
３ｂ  円柱管又は異形箱等の内周側壁面に施された帯状空間
７    リューズ等の突起部分
【図１】
0003193641.tif 000003
【図２】
0003193641.tif 000004
【図３】
0003193641.tif 000005
【図４】
0003193641.tif 000006
【手続補正書】
【提出日】平成26年7月29日(2014.7.29)
【手続補正１】
【補正対象書類名】実用新案登録請求の範囲
【補正対象項目名】全文
【補正方法】変更
【補正の内容】
【実用新案登録請求の範囲】
【請求項１】
時計、宝飾品、ＬＥＤ照明灯、情報端末器又はセンサーをハンドバッグ、ポーチ、ポセット、リュックサック、ランドセル、鞄、帽子、ぬいぐるみ、マスコット、キーホルダー、ベルト、ストラップ、リストバンド、ヘアーバンドの基体表面又は裏面に装着するための方法として、時計、宝飾品、ＬＥＤ照明灯、情報機器又はセンサーを収納する円柱管、楕円形、又は角型箱の小型収納容器を基体に固着させ、小型収納容器の内側壁面に凹型形状の帯状の空間を施設し、時計、宝飾品、ＬＥＤ照明灯、情報端末器又はセンサーの側面に帯状のラバーベルトを巻き付け、小型収納容器に圧入し又は引っ張り出しを可能とし、基体にも自在に着脱でき、電池交換も容易にできる固定装置。
【請求項２】
時計、宝飾品、ＬＥＤ照明灯、情報端末器又はセンサーを収納容器に収納する際に、収納容器の側面開放部に複数の切り裂きを施し、時計、宝飾品、ＬＥＤ照明灯、情報端末器又はセンサーの突起物を嵌合し、正確な位置決めと、任意の方向転換を行える請求項１に記載する固定装置
【請求項３】
プラスチック、ポリエステル、繊維、皮革、金属の素材で構築されたバッグ類、被服類、身飾品類、ベルト類、人形類の基体表面又は裏面に、コンタクト・レンズ収納ケース、薬品収納ケース、ＧＰＳ端末器、防犯ブザー、ラジオ、ＴＶ端末、携帯電話器、ゲーム機、携帯パソコン、センサーその他情報端末器を装着する際に適用される請求項１記載の固定装置。